(57)【要約】【課題】ユーザの視聴を妨げることなく、ユーザに豊富な種類の情報を提供することのできる通信端末装置を提供する。【解決手段】通信端末装置１では、放送基地局４から放送を受信する。放送情報記憶部７は、スイッチ８が押された時に通信端末装置１で放送されている放送情報６を記憶する。次に、スイッチ９が押されると、無線通信部３は、放送情報記憶部７で記憶された放送情報６を無線基地局２に送信する。そして、無線通信部３は、放送情報６に基づいた放送関連情報１０を無線基地局２から受信する。【選択図】　　　　図１
2004072472.tif 000002
【特許請求の範囲】
【請求項１】
基地局と通信を行なう通信手段と、
放送基地局からの放送を受信する放送受信手段と、
前記受信した放送に含まれる放送情報を記憶する放送情報記憶手段とを備える通信端末装置であって、
前記放送情報記憶手段は、ユーザの指示があった時に行なわれている放送に含まれる前記放送情報を記憶し、
前記通信手段は、前記放送情報記憶手段で記憶された放送情報を前記基地局に送信し、前記基地局より前記放送情報に関連する放送関連情報を受信することを特徴とする、通信端末装置。
【請求項２】
前記放送情報は、前記受信した放送が行なわれた時刻を表わす時間情報と、チャンネルを表わすチャンネル情報とを含むことを特徴とする、請求項１に記載の通信端末装置。
【請求項３】
前記放送関連情報は、前記放送情報に基づき、前記基地局に接続されたネットワーク上のサーバから抽出されることを特徴とする、請求項１に記載の通信端末装置。
【請求項４】
前記放送関連情報は、前記受信した放送の画像情報と音声情報との少なくとも一方を含むことを特徴とする、請求項１に記載の通信端末装置。
【請求項５】
前記放送関連情報は、前記受信した放送の画像と音声との少なくとも一方で表わされた物品に関する物品情報を含むことを特徴とする、請求項１に記載の通信端末装置。
【請求項６】
前記放送関連情報は、前記受信した放送に付随するデータ情報を含むことを特徴とする、請求項１に記載の通信端末装置。
【請求項７】
前記通信手段は、ユーザからの指示があった時に、前記放送情報を前記基地局に送信する、請求項１に記載の通信端末装置。
【請求項８】
前記通信手段は、携帯電話システムの無線通信手段であることを特徴とする、請求項１に記載の通信端末装置。
【請求項９】
前記放送受信手段は、地上デジタルテレビ放送システムの放送受信手段であることを特徴とする、請求項１に記載の通信端末装置。
【請求項１０】
前記通信手段は、前記基地局より前記放送関連情報に含まれる情報の種類を示す情報リストを受信し、前記情報リストの中から選択された情報を示す情報選択信号を前記基地局に送信することを特徴とする、請求項１に記載の通信端末装置。
【請求項１１】
請求項１〜１０のいずれかに記載の通信端末装置と、
前記通信端末装置と通信を行なう基地局とからなる通信システムであって、
前記基地局は、前記通信端末装置から放送情報を受信し、複数の前記受信した放送情報を集計して放送視聴情報を抽出する、通信システム。
【発明の詳細な説明】
【０００１】
【発明の属する技術分野】
この発明は通信端末装置および通信システムに関し、特に、ユーザの視聴を妨げることなく、ユーザに豊富な種類の情報を提供することのできる通信端末装置および通信システムに関する。
【０００２】
【従来の技術】
近年、携帯電話は、従来の通話機能だけではなく、電子メール機能やインターネット閲覧機能などが付加され、広く普及している。一方、現在日本国内で視聴されている地上波アナログ放送に代わる新しい放送として、２００３年より地上デジタルテレビ放送が開始される予定になっている。
【０００３】
この地上デジタルテレビ放送の技術規格ＩＳＤＢ−Ｔ（Ｉｎｔｅｇｒａｔｅｄ　Ｓｅｒｖｉｃｅｓ　Ｄｉｇｉｔａｌ　Ｂｒｏａｄｃａｓｔｉｎｇ）では、変調方式に多数の搬送波（キャリア）を使うＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）が採用され、ビルによる反射など複数の伝播経路（マルチパス）によるゴースト妨害も抑制が可能となる。また、ＩＳＤＢ−Ｔではキャリア間隔を規定する伝送モードやキャリアごとの変調方式、有効シンボル長ごとに設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。また、ＩＳＤＢ−Ｔでは１つのチャンネル（帯域約５．６ＭＨｚ）を１３セグメント（１セグメント＝約４３０ＫＨｚ）に分割し、これを単位に変調方式を変えることになる。これによって、１つのチャンネルで音声放送とハイビジョン放送、標準固定放送と移動体放送といったように、放送局は任意に信号構成を決定することができる。さらに、ＩＳＤＢ−Ｔは時間軸方向のインターリブを取入れており、利用する電波も移動体への伝送に適していることから、車載テレビなどの移動体受信機やＰＤＡ（Ｐｅｒｓｏｎａｌ　Ｄｉｇｉｔａｌ　Ａｓｓｉｓｔａｎｔｓ）や携帯電話などの携帯端末でも安定した受信が可能となることが大きな特徴の１つとして挙げられる。
【０００４】
以上のことから、近年、携帯電話と地上デジタルテレビ放送とを結び付けた通信・放送融合サービスが期待されている。具体的には、携帯電話上で地上デジタルテレビ放送を視聴し、テレビ放送に関連する情報を通信を介して取得できるようなサービスが提案されている。
【０００５】
図５および図６に、地上デジタルテレビ放送の視聴と放送に関連する情報の取得が可能な携帯電話の動作例を示す。図５に示すように、地上デジタルテレビ放送受信機能を内蔵した携帯電話２８において、表示部２９の上部にテレビ画面３０が表示され、表示部２９の下部にテレビ放送に関連する情報を取出すためのメニュー画面３１が表示される。ここでは、テレビ放送に関連する情報として、番組の登場人物が着用している時計に関する情報、番組の背景で流れているＢＧＭ（Ｂａｃｋ　Ｇｒｏｕｎｄ　Ｍｕｓｉｃ）の情報、番組に関するクイズの情報、番組のホームページへのリンクの情報の計４つがメニューとなっている。メニュー画面３１に表示される４つのメニューのうち、選択候補になっている１つのメニューの表示色が異なっており、どのメニューが選択候補になっているかが示される。選択候補のメニューは方向スイッチ３２の操作により入替わり、決定スイッチ３３が押された時の選択候補のメニューが選択されるようになっている。例えば、図５に示すように時計の情報が選択された場合、図６に示すように表示部２９の下部に情報画面３４が表示され、この中に時計に関する情報が表示される。
【０００６】
【発明が解決しようとする課題】
しかしながら、上記のような従来の携帯電話２８においては、以下のような問題がある。
【０００７】
すなわち、テレビ画面３０とメニュー画面３１とが同時に表示されるので、メニュー画面３１に気を取られてテレビ画面３０に表示されるテレビ番組（コンテンツ）を集中して視聴することができなくなるという問題がある。
【０００８】
さらに、メニューの選択操作をして情報の取得および表示を行なうと、より一層テレビ番組に集中できなくなるという問題もある。例えば、ドラマを観ていて登場人物の時計が気に入り、その時計の情報を知らせるメニューに沿って操作して情報を見ようとすると、肝心なドラマを集中して観ることができなくなり、ドラマの面白みが減少してしまうという問題がある。
【０００９】
また、番組の進行に従い取得できる情報が入替わって、それによってメニュー画面３１に表示されるメニューが入替わることによっても、気を取られてテレビ番組に集中できなくなるという問題がある。
【００１０】
また、メニュー画面３１の広さは、表示部２９からテレビ画面３０を除いた広さに制限されているため、一度に表示できるメニューの数には限度がある。そのため、取得できる情報の種類が制限されるという問題もある。
【００１１】
また、視聴者のメニュー選択は、番組の進行とは直接関係ないタイミングで行なわれるため、視聴者が番組のどのタイミングで興味を持ったかを伝えることができないという問題もある。例えば、「今映った時計の情報が欲しい。」「今放送された映像をもう一度見たい。」という番組の進行に関わる要求に答えることができないという問題である。また、通信システムにおいて視聴者が番組のどのタイミングで興味を持ったかを把握することができないため、メニュー選択の情報を集計してマーケティングに利用することも難しい。
【００１２】
本発明はこれらの問題に鑑みてなされたものであり、番組視聴に集中でき、取得できる情報の種類を増やすことができ、視聴者が番組のどのタイミングで興味を持ったかを把握することができる通信端末装置および通信システムを提供することを目的とする。
【００１３】
【課題を解決するための手段】
上記目的を達成するために、本発明のある局面に従うと、通信端末装置は、基地局と通信を行なう通信手段と、放送基地局からの放送を受信する放送受信手段と、受信した放送に含まれる放送情報を記憶する放送情報記憶手段とを備える通信端末装置であって、放送情報記憶手段は、ユーザの指示があった時に行なわれている放送に含まれる前記放送情報を記憶し、通信手段は、放送情報記憶手段で記憶された放送情報を基地局に送信し、基地局より放送情報に関連する放送関連情報を受信することを特徴とする。
【００１４】
また、上述の放送情報は、受信した放送が行なわれた時刻を表わす時間情報と、チャンネルを表わすチャンネル情報とを含むことが望ましい。
【００１５】
また、上述の放送関連情報は、放送情報に基づき、基地局に接続されたネットワーク上のサーバから抽出されることが望ましい。
【００１６】
また、上述の放送関連情報は、受信した放送の画像情報と音声情報との少なくとも一方を含むことが望ましい。
【００１７】
また、上述の放送関連情報は、受信した放送の画像と音声との少なくとも一方で表わされた物品に関する物品情報を含むことが望ましい。
【００１８】
また、上述の放送関連情報は、受信した放送に付随するデータ情報を含むことが望ましい。
【００１９】
また、上述の通信手段は、ユーザからの指示があった時に、放送情報を基地局に送信することが望ましい。
【００２０】
また、上述の通信手段は、携帯電話システムの無線通信手段であることが望ましい。
【００２１】
また、上述の放送受信手段は、地上デジタルテレビ放送システムの放送受信手段であることが望ましい。
【００２２】
また、上述の通信手段は、基地局より放送関連情報に含まれる情報の種類を示す情報リストを受信し、情報リストの中から選択された情報を示す情報選択信号を基地局に送信することが望ましい。
【００２３】
本発明の他の局面に従うと、通信システムは、上述の通信端末装置と、通信端末装置と通信を行なう基地局とからなる通信システムであって、基地局は、通信端末装置から放送情報を受信し、複数の受信した放送情報を集計して放送視聴情報を抽出する。
【００２４】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２５】
図１は、本実施の形態における通信システムの構成の具体例を示す図である。図１を参照して、本実施の形態における通信システムには、通信端末装置１と、無線基地局２とが含まれる。上述の通信端末装置１と無線基地局２とは、無線による通信を行なう。また、通信端末装置１は、放送基地局４からの放送を受信する。さらに、無線基地局２は、ネットワーク１３を介して、サーバ１４と通信を行なう。
【００２６】
さらに図１を参照して、本実施の形態における通信端末装置１は、無線基地局２との間で送信および受信を行なう無線通信部３と、放送基地局４からの放送を受信する放送受信部５と、放送基地局４から受信した放送に含まれる放送情報６を記憶する放送情報記憶部７とを備える。そして、通信端末装置１では、放送受信部５で放送基地局４から受信した放送に対する処理を実行する。ここでの放送に対する処理の実行は、放送基地局４から放送受信部５が放送を受信したタイミングと同時に実行されるものとして説明を行なう。すなわち、放送されている時と、放送受信部５が放送を受信した時とが同じであるものとして説明を行なう。しかし、放送に対する処理の実行の時は、上述のタイミングに限定されるものではない。
【００２７】
放送情報記憶部７は、スイッチ８が押された時に放送されている、放送情報６を記憶する。
【００２８】
無線通信部３は、スイッチ９が押された時に、放送情報記憶部７で記憶された放送情報６を無線基地局２に送信する。
【００２９】
無線通信部３は、放送情報６に関連する放送関連情報１０を無線基地局２より受信する。
【００３０】
ここで、放送情報６は、受信した放送が行なわれた時刻を表わす時間情報１１と、チャンネルを表わすチャンネル情報１２とを含む。また、上述以外の、受信した放送に関する情報が含まれていてもよい。
【００３１】
また、放送関連情報１０は、放送情報６に基づき、無線基地局２に接続されたネットワーク１３上のサーバ１４から抽出される情報であって、受信した放送の画像情報１５と、音声情報１６と、受信した放送の画像または音声で表わされた物品に関する物品情報１７と、受信した放送に付随するデータ情報１８とを含む。また、上述以外の、受信した放送に関する情報が含まれていてもよい。
【００３２】
ここで、無線通信部３は、携帯電話システムの無線通信手段であり、放送受信部５は、地上デジタルテレビ放送システムの放送受信手段である。
【００３３】
なお、本実施の形態における通信端末装置１は、一般的な携帯電話やＰＤＡ（Ｐｅｒｓｏｎａｌ　Ｄｉｇｉｔａｌ　Ａｓｓｉｓｔａｎｔｓ）等の通信端末であって、上述の構成要素以外に、ＣＰＵ（Ｃｅｎｔｒａｌ　Ｐｒｏｃｅｓｓｉｎｇ　Ｕｎｉｔ）等の構成要素も含むものとする。なお、以下の説明においては、上述の通信端末装置１を、具体的に携帯電話１９であるものとする。
【００３４】
次に、図１に示す本実施の形態の通信端末装置１である携帯電話１９において、放送関連情報１０を取得する際の具体例を図２、図３、図４に示す。図２〜図４に基づいて、以下に、本実施の形態の通信システムにおける通信処理について説明する。なお、以下の通信処理は、通信端末装置１である携帯電話１９と無線基地局２に備えられる装置（図示せず）のＣＰＵ（図示せず）が、ＲＯＭ（ＲｅａｄＯｎｌｙ　Ｍｅｍｏｒｙ）等の記憶装置（図示せず）に記憶されているプログラムを読出して実行することによって実現される。
【００３５】
まず、図２を参照して、地上デジタルテレビ放送受信機能を内蔵した携帯電話１９においては、表示部２０の上部にテレビ画面２１が表示される。
【００３６】
この場合、視聴者は、例えばドラマを観ていて登場人物の時計を気に入り、時計の情報が欲しいと思った時には、スイッチ２２を押す。これにより、スイッチ２２が押された時点の時間情報１１とチャンネル情報１２とを含む放送情報６が、放送情報記憶部７に記憶される。なお、上述のスイッチ２２は、上述の通信端末装置１についての説明における、スイッチ８に該当する。
【００３７】
さらに、視聴者は、ドラマを観終わった後などの任意の時間に、スイッチ２３を押す。すると、無線通信部３は、放送情報記憶部７に記憶された放送情報６を無線基地局２に対して送信する。なお、上述のスイッチ２３は、上述の通信端末装置１についての説明における、スイッチ９に該当する。
【００３８】
携帯電話１９から放送情報６を受信した無線基地局２は、ネットワーク１３を介して、サーバ１４から、放送情報６に関連する放送関連情報１０を抽出する。そして、放送関連情報１０に含まれる情報の種類を表わす情報リストを携帯電話１９に送信する。
【００３９】
無線通信部３において無線基地局２から情報リストを受信した携帯電話１９は、図３に示すように、表示部２０に、テレビ放送に関連する情報を取出すためのメニュー画面２４を表示する。ここでは、テレビ放送に関連する情報として、スイッチ２２が押された時に番組の登場人物が着用していた服と時計と帽子とに関する情報と、番組の登場人物がいた店とその店のある街との情報と、番組の登場人物を演じていた役者の情報と、番組の背景で流れていたＢＧＭの情報と、スイッチ２２が押された時の番組の再視聴と、番組に関するクイズの情報と、番組のホームページへのリンクの情報との計１０個がメニューとなっている。
【００４０】
メニュー画面２４に表示される１０つのメニューのうち、選択候補になっている１つのメニューの表示色が異なっており、どのメニューが選択候補になっているかが示される。選択候補のメニューは、方向スイッチ２５の操作により入替わり、決定スイッチ２６が押された時の選択候補のメニューが選択されるようになっている。
【００４１】
例えば、図３に示すように時計の情報が選択された場合、携帯電話１９は、無線通信部３より、無線基地局２に対して、情報リストの中から時計の情報が選択されたことを表わす情報選択信号を送信する。
【００４２】
上述の情報選択信号を携帯電話１９より受信すると、無線基地局２は、時計の情報を、ネットワーク１３を介して、サーバ１４より取得する。そして、取得した時計の情報を、携帯電話１９に送信する。
【００４３】
時計の情報を無線基地局２から受信した携帯電話１９は、図４に示すように、表示部２０に表示される情報画面２７の中に時計に関する情報を表示する。
【００４４】
また例えば、メニュー画面２４に表示される１０つのメニューから再視聴のメニューが選択された場合は、スイッチ２２が押された時に放送されていた所定時間（前後数秒間など）の番組の画像情報と音声情報とが、上述と同様にサーバ１４から取得される。そして、携帯電話１９は、受信した再視聴のための情報をテレビ画面２１に表示する。なお、取得される画像情報と音声情報との時間は、再視聴のメニューを選択した時に時間入力メニューを表示して視聴者が指定するようになっていてもよい。
【００４５】
なお、図４で示した情報画面２７は、図６に示すように、テレビ画面と同時に表示してもよい。また、スイッチ２２とスイッチ２３とは異なるスイッチとしたが、同一のスイッチであってもよい。
【００４６】
以上のように、本実施の形態における通信端末装置１は、無線基地局２より、放送情報６に基づいた放送関連情報１０を受信するので、図３に示すように、多くの種類の情報を取得することができる。また、スイッチ２２が押されたタイミングは番組の進行と関連付けられるため、通信端末装置１は、視聴者が番組のどのタイミングで興味を持ったかを無線基地局２に伝えることができる。
【００４７】
また、放送情報６が、受信した放送が行なわれた時刻を表わす時間情報１１とチャンネルを表わすチャンネル情報１２とを含むので、視聴者がいつの、どのチャンネルの放送に関する情報を欲しているかを無線基地局２に容易に伝えることができる。
【００４８】
また、無線基地局２は、放送情報６に基づいて放送関連情報１０を、無線基地局２に接続されたネットワーク１３上のサーバ１４から抽出する。そのため、通信端末装置１は、ネットワーク１３を介して多くの関連情報を得ることができる。
【００４９】
また、放送関連情報１０が、受信した放送の画像情報１５または音声情報１６を含むので、受信した放送と同じ内容あるいはそれに準ずる内容を再び視聴することができる。
【００５０】
また、放送関連情報１０が、受信した放送の画像または音声で表された物品に関わる物品情報を含むので、視聴者は、放送で提示された物品情報を容易に得ることができる。
【００５１】
また、放送関連情報１０が、受信した放送に付随するデータ情報を含むので、放送に関するデータ情報を容易に得ることができる。
【００５２】
また、本実施の形態の通信端末装置１では、所定のスイッチ８が押された時の放送情報６が記憶され、所定のスイッチ９が押された時に、記憶された放送情報６が無線通信部３から送信される。このため、視聴者は、番組の視聴を妨げられることなく、番組に関する情報を記憶されることができ、そして、記憶させておいた情報に基づいて、任意の時間にメニュー画面２４を表示して情報を取得することができる。そのため、視聴者は、番組視聴に集中することができる。また、番組の視聴後にメニュー画面２４を表示部２０の全体に表示させることもできる。このため、視聴者の番組視聴を妨げないので、メニュー画面２４が広くすることができ、一度に表示できるメニューの数を増やすことができる。なお、上述において、放送情報６を記憶するタイミングおよび送信するタイミングは、所定のスイッチ８および９が押された時である説明を行なったが、これらのタイミングはスイッチ操作に限定されず、その他の視聴者からの指示であってもよい。
【００５３】
また、本実施の形態の通信端末装置１では、無線通信部３が携帯電話システムの無線通信手段であるので、無線通信を容易に行なうことができ、ネットワーク１３からの情報取得も容易になる。
【００５４】
また、本実施の形態の通信端末装置１では、放送受信部５が地上デジタルテレビ放送システムの放送受信手段であるので、移動中でも安定してテレビ視聴することができ、受信した放送が行なわれた時刻を表わす時間情報１１とチャンネルを表わすチャンネル情報１２とを放送基地局４より容易に得ることができる。
【００５５】
また、本実施の形態の通信端末装置１では、無線通信部３が放送関連情報１０に含まれる情報の種類を表わす情報リストを無線基地局２より受信し、情報リストの中から選択された情報を指し示す情報選択信号を無線基地局２へ送信するので、放送関連情報１０に含まれる多くの情報から所望の情報を選択しやすくなる。
【００５６】
［変形例］
次に、本発明の実施の形態の変形例における通信システムを、図１を用いて説明する。
【００５７】
変形例における通信システムには、複数の通信端末装置１が含まれる。そして、複数の通信端末装置１から発信された複数の放送情報６を、無線基地局２で受信する。
【００５８】
無線基地局２は、複数の放送情報６を集計することにより、放送視聴情報を抽出する。すなわち、放送情報６には、個々の視聴者が情報を欲しいと考えた時の、放送が行なわれた時刻を表わす時間情報１１とチャンネルを表わすチャンネル情報１２とが含まれている。そして、無線基地局２は、複数の視聴者から送られる放送情報６を集計することにより、視聴者がいつの、どのチャンネルの放送に関する情報に興味を示したかという放送視聴情報を抽出する。
【００５９】
本実施の形態の変形例における通信システムがこのような構成であることによって、視聴者が番組のどのタイミングで興味を持ったかを把握することができ、マーケティングに利用することが容易になる。
【００６０】
さらに、上述の通信システムにおいて行なわれる通信方法を、プログラムとして提供することもできる。このようなプログラムは、コンピュータに付属するフレキシブルディスク、ＣＤ−ＲＯＭ（Ｃｏｍｐａｃｔ　Ｄｉｓｃ−Ｒｅａｄ　Ｏｎｌｙ　Ｍｅｍｏｒｙ）、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６１】
提供されるプログラム製品は、ハードディスクなどのプログラム格納部にインストールされて実行される。なお、プログラム製品は、プログラム自体と、プログラムが記録された記録媒体とを含む。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における通信システムの構成の具体例を示す図である。
【図２】図１に示す本実施の形態の通信端末装置１である携帯電話１９において、放送関連情報１０を取得する際の具体例を示す図である。
【図３】図１に示す本実施の形態の通信端末装置１である携帯電話１９において、放送関連情報１０を取得する際の具体例を示す図である。
【図４】図１に示す本実施の形態の通信端末装置１である携帯電話１９において、放送関連情報１０を取得する際の具体例を示す図である。
【図５】従来の通信端末装置において、放送関連情報を取得する際の具体例を示す図である。
【図６】従来の通信端末装置において、放送関連情報を取得する際の具体例を示す図である。
【符号の説明】
１　通信端末装置、２　無線基地局、３　無線通信部、４　放送基地局、５　放送受信部、６　放送情報、７　放送情報記憶部、８，９，２２，２３　スイッチ、１０　放送関連情報、１１　時間情報、１２　チャンネル情報、１３　ネットワーク、１４　サーバ、１５　画像情報、１６　音声情報、１７　物品情報、１８　データ情報、１９　携帯電話、２０　表示部、２１　テレビ画面、２４　メニュー画面、２５　方向スイッチ、２６　決定スイッチ、２７　情報画面、２８　従来の携帯電話、２９　従来の携帯電話の表示部、３０　従来の携帯電話のテレビ画面、３１　従来の携帯電話のメニュー画面、３２　従来の携帯電話の方向スイッチ、３３　従来の携帯電話の決定スイッチ、３４　従来の携帯電話の情報画面。
【図１】
2004072472.tif 000003
【図２】
2004072472.tif 000004
【図３】
2004072472.tif 000005
【図４】
2004072472.tif 000006
【図５】
2004072472.tif 000007
【図６】
2004072472.tif 000008